(57)【要約】【課題】ステイオンタブ方式の開口容易缶蓋において、タブの把持部を起こし易くすることができると共に、タブによるてこ作用を所要部分に効率良く伝達させることができて、スコア線を効果的に破断できるようにする。【解決手段】タブ６の押し下げ端６ｂの下方付近を含む開口片１２の領域内に凹部２１を形成すると共に、傾斜側面２２ａを有する突起２２を、タブ６の押し下げ端６ｂの下方に所定の間隔を置いて突起２２の傾斜側面２２ａが位置するように、開口片１２の凹部２１の底面から上方に突出させて形成して、タブ６の把持部６ａを持ち上げて押し下げ端６ｂを押し下げた時に、開口片１２の凹部２１の上端縁よりも下方で、タブ６の押し下げ端６ｂを突起２２の傾斜側面２２ａと当接させるようにする。【選択図】　　　図３
2004035063.tif 000002
【特許請求の範囲】
【請求項１】
スコア線によって囲まれた開口片が、スコア線の両端部の間をヒンジ部分として残すように、略円板状のパネル部に部分的に形成されており、開口片を押し下げるためのタブが、パネル部の略中央で開口片の領域外にリベットで固着されていて、タブの把持部となる一端側がリベットを挟んで開口片とは反対側に位置し、タブの押し下げ端となる他端側が開口片の上方に位置している開口容易缶蓋において、タブの押し下げ端の下方付近を含む開口片の領域内に凹部が形成されていると共に、傾斜側面を有する突起が、タブの押し下げ端の下方に所定の間隔を置いて突起の傾斜側面が位置するように、開口片の凹部の底面から上方に突出して形成されていて、タブの把持部を持ち上げて押し下げ端を押し下げた時に、開口片の凹部の上端縁よりも下方で、タブの押し下げ端が突起の傾斜側面と当接するように構成されていることを特徴とする開口容易缶蓋。
【請求項２】
開口片に形成される凹部が、開口片の領域面積の半分以上を占めていることを特徴とする請求項１に記載の開口容易缶蓋。
【発明の詳細な説明】
【０００１】
【発明の属する技術分野】
本発明は、飲料缶等で缶容器の天板側の端壁として缶胴に巻締固着される開口容易缶蓋に関し、特に、略円板状のパネル部に部分的に開口片が形成されているパーシャルオープンタイプの開口容易缶蓋で、タブの操作により開口片をパネル部と繋がった状態のまま缶内に押し下げて開口するようにしたステイオンタブ方式の開口容易缶蓋に関する。
【０００２】
【従来の技術】
飲料缶用の缶容器では、その天板側の端壁として缶胴に巻締固着される開口容易缶蓋（イージーオープンエンド）として、缶蓋の略円板状のパネル部を全面的に開口するフルオープンタイプではなく、缶蓋のパネル部の一部分を飲み口として部分的に開口するパーシャルオープンタイプの開口容易缶蓋が一般的に使用されている。そのような飲料缶用のパーシャルオープンタイプの開口容易缶蓋として、以前は、タブの操作によりタブと開口片を缶蓋のパネル部から完全に切り離すようなプルトップタブ方式の缶蓋が多く使用されていたが、缶から切り離されたタブと開口片が不用意に捨てられて、資源の回収や環境美化という点で問題があったことから、現在では、タブの操作によりパネル部と繋がった状態のまま開口片を缶内に押し下げて、タブや開口片を缶から切り離すことなく開口するステイオンタブ方式の缶蓋が多く使用されている。
【０００３】
そのようなステイオンタブ方式の開口容易缶蓋について、スコア線によって囲まれた開口片の領域内でタブの押し下げ端の下方に凹部を形成するということが、例えば、特開平４−２０１８５２号公報，特開平６−１５６４８８号公報等により従来から公知となっており、一方、スコア線によって囲まれた開口片の領域内でタブの押し下げ端の下方に突起を形成するということが、例えば、特公昭５９−２４９３９号公報，実公平５−２４４６号公報等により従来から公知となっている。
【０００４】
【発明が解決しようとする課題】
ところで、ステイオンタブ方式の開口容易缶蓋において、開口片の領域内でタブの押し下げ端の下方に凹部を形成することによって、タブの把持部の持ち上げを開始する際に、タブの押し下げ端が開口片に当接するまでに遊びがあることで、タブの把持部を起こし易くすることができる。一方、開口片の領域内でタブの押し下げ端の下方に突起を形成することによって、タブの押し下げ端と当接する開口片の部分を補強する（剛性を高める）ことができ、タブによるてこ作用を、開口片のタブとの当接部分を撓ませたり変形させたりすることなく、所要部分に効率良く伝達することができて、てこ作用によるスコア線の破断を効果的に行うことができる。
【０００５】
そこで、タブの把持部の持ち上げ操作を行うに当たって、タブの把持部を起こし易くすることができ、且つ、タブによるてこ作用を所要部分に効率良く伝達できるように、上記のような従来公知の各技術を単に寄せ集めた場合（なお、特公昭５９−２４９３９号公報中には、開口片に凹部を形成し、この凹部内に突起を形成した構成が開示されている）、突起の頂部がタブの押し下げ端の下方に潜ってしまうことで、タブの押し下げ端の下方の隙間が狭くなって、凹部によりタブに遊びを与えるという効果が低減することとなり、一方、タブの押し下げ端の下方の隙間を大きくするために突起の高さを低くすると、突起により開口片を補強する（タブとの当接部分の剛性を高める）という効果が低減することとなって、何れにしても、両方の効果を満足させることが難しいものとなってしまう。
【０００６】
本発明は、上記のような問題の解消を課題とするものであり、具体的には、ステイオンタブ方式の開口容易缶蓋において、開口片に形成された凹部内に突起を形成しても、突起に邪魔されることなく、凹部による遊びによってタブの把持部を起こし易くすることができると共に、突起を充分な補強効果のあるものにすることで、タブによるてこ作用を所要部分に効率良く伝達させることができ、スコア線を効果的に破断できるようにすることを課題とするものである。
【０００７】
【課題を解決するための手段】
本発明は、上記のような課題を解決するために、スコア線によって囲まれた開口片が、スコア線の両端部の間をヒンジ部分として残すように、略円板状のパネル部に部分的に形成されており、開口片を押し下げるためのタブが、パネル部の略中央で開口片の領域外にリベットで固着されていて、タブの把持部となる一端側がリベットを挟んで開口片とは反対側に位置し、タブの押し下げ端となる他端側が開口片の上方に位置している開口容易缶蓋において、タブの押し下げ端の下方付近を含む開口片の領域内に凹部を形成すると共に、傾斜側面を有する突起を、タブの押し下げ端の下方に所定の間隔を置いて突起の傾斜側面が位置するように、開口片の凹部の底面から上方に突出させて形成して、タブの把持部を持ち上げて押し下げ端を押し下げた時に、開口片の凹部の上端縁よりも下方で、タブの押し下げ端を突起の傾斜側面と当接させるように構成したことを特徴とするものである。
【０００８】
上記のような構成によれば、タブの押し下げ端の下方に突起の傾斜側面を位置させていることで、突起を所定の高さに突出させても、タブの押し下げ端の下方で、突起の傾斜側面との間に充分な間隔（遊び）を設けることができて、タブの把持部を起こし易くすることができると共に、突起を所定の高さに突出させることにより、突起による開口片の補強効果（タブと当接する部分の剛性）を確保することができて、タブによる引き上げ力及び押し下げ力を所要部分に効率良く伝達させてスコア線の破断を効果的に行うことができる。
【０００９】
【発明の実施の形態】
以下、本発明の開口容易缶蓋の実施形態について、図面に基づいて詳細に説明する。なお、本発明の開口容易缶蓋の一実施形態について、図１は、缶蓋（缶胴に巻締め固着される前）の全体を上方から見た状態で示し、図２は、（Ａ）タブを除いた缶蓋の上面と（Ｂ）タブの下面（裏面）とをそれぞれ示し、図３は、缶蓋の断面形状と、該断面形状の一部を拡大した状態とを示し、図４は、（Ａ）開口操作前の状態と（Ｂ）タブの把持部を起こした時の状態と（Ｃ）更にタブの把持部を持ち上げてスコア線を初期破断することで開口片を押し下げ始めた時の状態とをそれぞれ示すものである。
【００１０】
本実施形態の缶蓋１では、図１に示すように、プレス加工によってリベット２とパネル部３とカウンターシンク部４とフランジ部５とが一体成形された本体部分に対して、それとは別体に形成された開口操作用のタブ６が、略円板状のパネル部３の略中央でリベット２により固着されている。なお、図示していないが、缶胴との巻締固着部分となるフランジ部５の裏面側には、有機高分子製のシール剤が塗布されて付着される。
【００１１】
そのような缶蓋１の略円板状のパネル部３には、図２（Ａ）に示すように、開口部の形状に沿って始端１１ａから終端１１ｂに連続するスコア線１１（なお、開口時に破断する外側の主スコア線１１に対して、破断しない内側の副スコア線が二重線の状態で設けられている）が刻設されており、スコア線１１（開口時に破断する主スコア線）によって囲まれた領域が、開口時に缶内に押し下げられる開口片１２の部分になっていて、スコア線１１の両端部１１ａ，１１ｂの間は、開口時にパネル部３と開口片１２を繋ぐヒンジ部分１３となる。
【００１２】
そのようにスコア線１１の両端部１１ａ，１１ｂの間をヒンジ部分１３として残すようにパネル部３に部分的に形成されている開口片１２に対して、図１に示すように、開口片１２を押し下げるためのタブ６が、その一端側を把持部６ａとしてリベット２を挟んで開口片１２とは反対側に位置させ、その他端側を押し下げ端６ｂとして開口片１２の上方に位置させるように、開口片１２の領域外で、パネル部３の略中央に位置するリベット２により固着されている。
【００１３】
なお、タブ６の具体的な構造については、図２（Ｂ）に示すように、外周縁の部分６１が下面側に折り曲げられ、また、把持部６ａの開口縁の部分６２も下面側に折り曲げられていて、それらの部分では剛性が極めて高いのに対して、リベット２による固着部の近傍部分６３では、一枚の金属板だけで変形し易くなっている。なお、タブ６の押し下げ端６ｂには、外周縁の円弧状の部分を下面側に折り曲げ加工した際に下面側で金属材料がだぶつくのを吸収できるように、タブ下面側となる部分に予め切欠き部６４が形成されていて、この切欠き部６４の幅は、外周縁の下面側への折り曲げ加工で殆ど繋がる程度に狭められている。
【００１４】
そのようなタブ６がリベット２によって固着されている缶蓋１において、パネル部３に部分的に形成される開口片１２には、タブ６の押し下げ端６ｂの下方付近を含むように、比較的広い底面積を有する凹部２１が形成されており、また、この凹部２１の底面から上端縁付近の高さまで上方に突出するように、傾斜側面を有する円錐形状の突起２２が形成されていて、上方から見ると、タブ６（押し下げ端６ｂ）が突起２２の一部とオーバーラップしているが、突起２２の頂点は、タブ６（押し下げ端６ｂ）から缶蓋半径方向外方に外れて位置している。
【００１５】
すなわち、図３に示すように、タブ６の押し下げ端６ｂの下方に所定の間隔を置いて（遊びを設けた状態で）、突起２２の傾斜側面２２ａが位置しており、それによって、開口操作を開始するためにタブ６の把持部６ａを持ち上げて押し下げ端６ｂを押し下げ始めた時に、開口片１２の凹部２１の上端縁よりも下方で、タブ６の押し下げ端６ｂが突起２２の傾斜側面２２ａと当接するようになっている。
【００１６】
なお、開口片１２に形成される凹部２１について、本実施形態では、開口片１２の領域面積の半分以上を占めるように形成されており、それによって、開口片１２の剛性が全体的に高められている。また、開口片１２の領域を除くパネル部３の領域については、図２（Ａ）に示すように、パネル部３の全体的な剛性を高めるための傾斜壁部３１や、タブ６の把持部６ａを下方から支えるための各突起３２や、リベット２の周りでパネル部３の剛性を高めるための凹溝部３３などが形成されている。
【００１７】
上記のような構造を備えた本実施形態の缶蓋１は、内容物が充填された後の上端が開口された缶体（缶本体）に対して、フランジ部５を缶体の上端開口縁に巻締め固着することで、缶容器の上端壁となるものであって、缶容器の上端壁となった缶蓋１の開口操作時の動作状態については、以下に説明する通りである。
【００１８】
開口操作を開始するに当たって、図４（Ａ）に示すような状態から、タブ６の把持部６ａに指を掛けて持ち上げようとすると、タブ６の外周縁部や把持部６は高い剛性を有し、且つ、リベット２の近傍部分では変形容易であることから、持ち上げ力は、リベット２を支点として、タブ６の押し下げ端６ｂを下方に押し下げるように作用するが、その際に、図３に示すように、タブ６の押し下げ端６ｂの下方には、開口片１２の突起２２の傾斜側面２２ａとの間に所定の間隔（遊び）が設けられていることから、タブ６の押し下げ端６ｂが突起２２の傾斜側面２２ａに当接するまでは、図４（Ｂ）に示すように、抵抗なく僅かな力でタブ６の把持部６ａを持ち上げることができて、タブ６の把持部６ａに指を容易に掛けることができる。
【００１９】
そのようにしてタブ６の把持部６ａに指を掛けて、タブ６の押し下げ端６ｂが突起２２の傾斜側面２２ａに当接している状態から、図４（Ｃ）に示すように、タブ６の把持部６ａを更に持ち上げることにより、第２種のてこ作用が働き、タブ６の押し下げ端６ｂと傾斜側面２２ａとの当接点を支点とするタブ６（把持部６ａ）の引き上げ力は、タブ６のリベット２による固着部の近傍部分６３を介して、リベット２を上方に引き上げる力として作用する。その際に、開口片１２の上記の当接点は、タブ６によるリベット２への引き上げ力の支点となるため、開口片１２には下方に押し下げられるような力が作用し、そのタブ６による押し下げる力が開口片１２の一部分である当接点（突起２２の傾斜側面２２ａ）に集中的に作用するが、この部分は剛性の高い突起２２に形成されていることから、この部分は下方に撓ませられたり変形させられたりすることがないので、タブ６によるてこ作用が効率良く作用することとなる。
【００２０】
そのようにリベット２が引き上げ力を受けることで、図４（Ｃ）に示すように、リベット２の近傍でスコア線１１に初期破断が発生することとなる。その後は、図示していないが、更にタブ６の把持部６ａを持ち上げることにより、第１種のてこ作用が働き、リベット２を支点とするタブ６（押し下げ端６ｂ）の押し下げ力が、剛性の高い突起２２を介して、開口片１２に対して効率良く作用することで、スコア線１１が始端１１ａから終端１１ｂに向かって破断すると同時に、タブ６の押し下げ端６ｂにより開口片１２が徐々に缶内に押し下げられ、スコア線１１が終端１１ｂまで破断された時点で、スコア線１１の始端１１ａと終端１１ｂの間の部分をヒンジ部分１３として開口片１２とパネル部３とが繋がった状態で、開口片１２の全体が缶内に押し下げられて、缶蓋１の開口が完了することとなる。
【００２１】
上記のような本実施形態の開口容易缶蓋によれば、開口片１２に凹部２１を形成し、且つ、凹部２１の底面から円錐形状の突起２２を突出形成すると共に、タブ６の押し下げ端６ｂの下方に突起２２の傾斜側面２２ａを位置させていることから、図３に示すように、凹部２１の上端縁の高さ付近にまで突起２２を突出させても、タブ６の押し下げ端６ｂの下方には、突起２２の傾斜側面２２ａとの間に充分な間隔（遊び）を設けることができ、開口操作を開始する時には、図４（Ｂ）に示すように、タブ６の把持部６ａを起こし易くすることができる。
【００２２】
また、凹部２１の上端縁の高さ付近にまで突起２２を突出させることで、タブ６の押し下げ端６ｂと当接する開口片１２の部分（傾斜側面２２ａ）を、突起２２によって充分に補強する（剛性を高める）ことができて、タブ６の押し下げ端６ｂによる押し下げ力が開口片１２の一部分（傾斜側面２２ａ）に集中して作用しても、図４（Ｃ）に示すように、当該部分を下方に撓ませたり変形させたりすることなく、てこ作用による引き上げ力及び押し下げ力をリベット２及び開口片１２に効率良く伝達することができて、スコア線１１の破断を効果的に行うことができる。
【００２３】
なお、本実施形態では、開口片１２の領域面積の半分以上を占めるように凹部２１を形成していることにより、凹部２１の全体が補強される（剛性が高められる）ことから、缶体（缶本体）内に内容物を充填してから缶蓋１により密閉した後で、缶容器内が陰圧（負圧）になった場合でも、開口片１２をフラットな状態に維持することができる。また、タブ６の操作によりスコア線１１を破断しながら開口片１２を缶内に押し下げる時にも、開口片１２を撓ませることなくフラットな状態に維持できることから、開口片１２の押し下げを効率良く行うことができる。
【００２４】
以上、本発明の開口容易缶蓋の一実施形態について説明したが、本発明は、上記の実施形態に示した具体的な構造にのみ限定されるものではなく、適宜に設計変更可能なものであって、例えば、開口片の凹部内に形成される突起については、その傾斜側面とタブ（押し下げ端）との間に充分な遊びを設けることができ、且つ、開口片の押し下げ力が作用する部分を充分に補強できる限りにおいて、その高さや形状について実施形態に示した具体例に限定されるものではない。すなわち、突起の形状について言えば、円錐形状に限らず、三角錐や四角錐などの角錐形状であっても良く、角錐形状とした場合には、曲面状の傾斜側面を有する円錐形状の場合と比べて、タブの押し下げ端を平面状の傾斜側面と当接させることができるため、タブの持ち上げ操作の際に、リベットを中心としてタブが周方向に回転した場合でも、タブの押し下げ端を確実に傾斜側面に当接させることができる。
【００２５】
【発明の効果】
以上説明したような本発明の開口容易缶蓋によれば、タブの押し下げ端の下方で、開口片との間に充分な遊びを設けることができて、開口操作を開始する際に、抵抗のない少ない力でタブの把持部を起こすことができると共に、タブの押し下げ端による押し下げ力が集中して作用する開口片の部分を、突起の形成により充分に補強することができ、タブによる引き上げ力及び押し下げ力を所要部分に効率良く伝達させることができて、開口片を囲むように形成されたスコア線の破断を効果的に行うことができる。
【図面の簡単な説明】
【図１】本発明の開口容易缶蓋の一実施形態について、缶胴に巻締め固着される前の缶蓋を示す上面図。
【図２】図１に示した缶蓋について、（Ａ）タブを除いた状態の缶蓋の本体部分を示す上面図、および、（Ｂ）タブの下面（裏面）側を示す下面図。
【図３】図１に示した缶蓋について、タブの把持部から押し下げ端の方向に沿って缶蓋の中心を通る全体の断面図と、その一部分を拡大して示す部分拡大断面図。
【図４】図１に示した缶蓋のタブと開口片について、（Ａ）開口操作前の状態と、（Ｂ）タブの把持部を起こした時の状態と、（Ｃ）更にタブの把持部を持ち上げてスコア線を初期破断することで開口片を押し下げ始めた時の状態とをそれぞれ示す断面説明図。
【符号の説明】
１　　　　缶蓋
２　　　　リベット
３　　　　パネル部
６　　　　タブ
６ａ　　　（タブの）把持部
６ｂ　　　（タブの）押し下げ端
１１　　　スコア線
１２　　　開口片
１３　　　ヒンジ部分
２１　　　（開口片の）凹部
２２　　　（開口片の）突起
２２ａ　　（突起の）傾斜側面
【図１】
2004035063.tif 000003
【図２】
2004035063.tif 000004
【図３】
2004035063.tif 000005
【図４】
2004035063.tif 000006